(57)【要約】【課題】工事記録写真等の撮影画像を所望の順番で容易に出力できるようにすることである。【解決手段】本発明に係るパーソナルコンピュータ１によれば、工事記録写真を撮影する各作業工程の撮影計画順番及び各作業工程に関する工程情報を含む撮影計画データテーブルを作成し、デジタルカメラ２０に送信する。デジタルカメラ２０において、撮影計画に従って撮影を行い、得られた撮影画像を撮影計画データテーブルの各工程情報に対応付けて撮影画像及び撮影計画データテーブルをパーソナルコンピュータ１に送信する。パーソナルコンピュータ１においては、受信された撮影画像を撮影計画データテーブルの撮影計画番号順、又はユーザの指定する順番で、工程情報を利用して写真タイトルを作成して付加して表示、出力する。【選択図】図１
2005051665.tif 000002
【特許請求の範囲】
【請求項１】
複数の撮影予定情報及びこの各撮影予定情報の順番情報を生成するためのデータ処理装置と、このデータ処理装置と相互に通信接続可能な撮影装置と、前記データ処理装置の出力情報を出力する出力装置と、を備えた撮影システムであって、
前記データ処理装置は、前記生成された各撮影予定情報を前記撮影装置に送信し、
前記撮影装置は、前記送信された各撮影予定情報を表示部に表示し、当該表示された何れか任意の撮影予定情報に伴って撮影された撮影画像を前記撮影予定情報に対応付け順次記憶していくことで各撮影予定情報と対応する各画像を記憶して、この記憶された各撮影予定情報と対応する各画像を前記データ処理装置に返信し、
前記データ処理装置は、前記各撮影予定情報に対応する前記順番情報の順で、前記撮影装置から送信された各撮影予定情報と対応する各撮影画像を前記出力装置により出力することを特徴とする撮影システム。
【請求項２】
前記撮影予定情報は、業務に関する複数の作業工程情報であり、前記順番情報は、前記各作業工程情報の順番情報であることを特徴とする請求項１に記載の撮影システム。
【請求項３】
前記データ処理装置は、更に前記撮影装置から送信された各作業工程の撮影画像を出力する順番を指定するための指定手段を有し、前記指定手段により指定された順番で前記各作業工程の撮影画像を前記出力装置により出力することを特徴とする請求項２に記載の撮影システム。
【請求項４】
前記データ処理装置は、更に前記撮影装置から送信された各作業工程の撮影画像を出力する順番を指定するための指定情報が書き込まれた用紙から前記指定情報を読み取る読み取り手段を有し、前記読み取られた指定情報により指定された順番で、前記各作業工程の撮影画像を前記出力装置により出力することを特徴とする請求項２に記載の撮影システム。
【請求項５】
前記データ処理装置は、更に前記撮影装置から送信された各作業工程の撮影画像に対するタイトルを、前記各作業工程情報に基づいて生成し、前記生成されたタイトルとともに前記各作業工程の撮影画像を前記出力装置により出力することを特徴とする請求項２に記載の撮影システム。
【請求項６】
コンピュータに、
複数の撮影予定情報及びこの各撮影予定情報の順番情報を生成する機能と、
前記生成された各撮影予定情報を外部の撮影装置へ送信する機能と、
前記外部の撮影装置から、前記撮影予定情報と、この撮影予定情報に対応付け順次記憶された各画像とを受信する機能と、
前記各撮影予定情報に対応する前記順番情報の順で、前記各撮影予定情報と対応する各撮影画像を出力する機能と、
を実現させるためのプログラム。
【発明の詳細な説明】
【技術分野】
【０００１】
本発明は、撮影予定の画像、例えば、工事現場における各作業工程の画像を撮影装置で記録し、この記録された撮影画像を所望の順番で表示、印刷可能な撮影システム及びプログラムに関する。
【背景技術】
【０００２】
一般的に、公共工事等においては、工事現場における作業工程をデジタルカメラ等の撮影装置で記録している。この工事記録写真は、工事施工状況の記録や工事完成後に目視できない箇所の出来形の資料となるもので、施工管理上重要なものの一つとして位置付けられている。この工事記録写真の撮影は、工事の着手に先立ち、工事記録写真撮影計画書を作成し、発注者の承認を得て、撮影計画に従って行われるものである。
【０００３】
このような工事写真等の作業記録写真を撮影するためのデジタルカメラシステムとして、例えば、特許文献１などが提案されている。
【特許文献１】特開２００１−２４９８２号公報
【発明の開示】
【発明が解決しようとする課題】
【０００４】
撮影された工事記録写真は、業務に最適な並べ方で見やすく表示、印刷できるように整理する必要がある。しかしながら、工事記録写真は枚数が多く、工事期間中は連日撮影されるものであるから、その整理作業は膨大であり、大変な作業であった。
【０００５】
本発明の課題は、工事記録写真等の撮影画像を所望の順番で容易に出力できるようにすることである。
【課題を解決するための手段】
【０００６】
上記課題を解決するため、請求項１に記載の発明は、
複数の撮影予定情報及びこの各撮影予定情報の順番情報を生成するためのデータ処理装置と、このデータ処理装置と相互に通信接続可能な撮影装置と、前記データ処理装置の出力情報を出力する出力装置と、を備えた撮影システムであって、
前記データ処理装置は、前記生成された各撮影予定情報を前記撮影装置に送信し、
前記撮影装置は、前記送信された各撮影予定情報を表示部に表示し、当該表示された何れか任意の撮影予定情報に伴って撮影された撮影画像を前記撮影予定情報に対応付け順次記憶していくことで各撮影予定情報と対応する各画像を記憶して、この記憶された各撮影予定情報と対応する各画像を前記データ処理装置に返信し、
前記データ処理装置は、前記各撮影予定情報に対応する前記順番情報の順で、前記撮影装置から送信された各撮影予定情報と対応する各撮影画像を前記出力装置により出力することを特徴としている。
【発明の効果】
【０００７】
請求項１、６に記載の発明によれば、複数の撮影予定情報及びこの各撮影予定情報の順番情報を生成し、この生成された各撮影予定情報を外部の撮影装置へ送信し、外部の撮影装置から、表示された何れか任意の撮影予定情報に伴って撮影された撮影画像を前記撮影予定情報に対応付け順次記憶された各撮影予定情報と対応する各画像を受信し、この受信した各撮影予定情報と対応する各画像を、前記各撮影予定情報に対応する前記順番情報の順で出力する。従って、撮影前に生成された撮影予定情報に対応する順番情報を利用して、撮影画像を出力するので、撮影予定情報に対応する順番情報を有効活用して容易に撮影画像の出力を行うことができる。その結果、撮影画像の整理作業が大幅に軽減される。
【０００８】
請求項２に記載の発明によれば、業務に関する複数の作業工程情報に対応する順番情報に従って撮影画像を出力する。従って、撮影前に生成された作業工程情報に対応する順番情報を利用して、撮影画像を出力するので、作業工程情報に対応する順番情報を有効活用して容易に撮影画像の出力を行うことができる。その結果、撮影画像の整理作業が大幅に軽減される。
【０００９】
請求項３に記載の発明によれば、各作業工程の撮影画像を容易に所望の順番で出力することができる。その結果、撮影画像を様々な観点で容易に並び替えて閲覧することが可能となり、撮影画像の整理作業が大幅に軽減される。
【００１０】
請求項４に記載の発明によれば、コンピュータに不慣れなユーザであっても、用紙を用いて容易に所望の順番で撮影画像を出力することができる。その結果、撮影画像を様々な観点で容易に並び替えて閲覧することが可能となり、撮影画像の整理作業が大幅に軽減される。
【００１１】
請求項５に記載の発明によれば、撮影画像のタイトルを自動的に生成し、撮影画像に付加するので、改めてタイトルを考えて付加する必要がなくなり、撮影画像の整理作業が軽減される。
【発明を実施するための最良の形態】
【００１２】
以下、図を参照して本発明の実施の形態を詳細に説明する。
まず、構成を説明する。
図１は、本実施の形態における撮影システム１００のシステム構成を示す図であり、データ処理装置であるパーソナルコンピュータ１と、撮影装置であるデジタルカメラ２０とが無線通信によりデータ送受信される場合を示す。
また、図２は、本実施の形態における撮影システム２００のシステム構成を示す図であり、データ処理装置であるパーソナルコンピュータ１と、撮影装置であるデジタルカメラ２０とが有線通信によりデータ送受信される場合を示す。
これら図１及び図２に示す各撮影システム１００、２００において使用されるパーソナルコンピュータ１及びデジタルカメラ２０は、無線通信機能と有線通信機能を備えるため、両方のシステム形態に対応可能であるものとする。
【００１３】
図３は、パーソナルコンピュータ１の機能的構成を示すブロック図である。図３において、パーソナルコンピュータ１は、ＣＰＵ２、入力部３、ＲＡＭ４、外部Ｉ／Ｆ５、表示部６、記録部７、通信制御部８、印刷部９及びイメージリーダ１０により構成されており、各部はバス１２により接続されている。
【００１４】
ＣＰＵ（Central Processing Unit ）２は、記録部７に記憶されているシステムプログラムを読み出し、ＲＡＭ４内に形成されたワークメモリに展開し、該システムプログラムに従って各部を制御する。また、ＣＰＵ２は、記録部７に記憶されている撮影計画順印刷処理プログラム、指定順印刷処理Ａプログラム、指定順印刷処理Ｂプログラム等の各種処理プログラムを読み出してワークメモリに展開し、後述する撮影計画順印刷処理、指定順印刷処理Ａ、指定順印刷処理Ｂを始めとする各種処理を実行し、それらの処理結果をＲＡＭ４内のワークメモリに記憶すると共に表示部６に表示させる。そして、ワークメモリに格納した処理結果を記録部７内の指定の保存先に保存させる。
【００１５】
指定手段としての入力部３は、文字／英数字入力キー、カーソルキー、及び各種機能キー等を備えたキーボードと、ポインティングデバイスであるマウスと、を備えて構成され、キーボードで押下操作されたキーの押下信号とマウスによる操作信号とを、入力信号としてＣＰＵ２に出力する。
【００１６】
ＲＡＭ（Random Access Memory）４は、バッファとしてＣＰＵ２により実行されるシステムプログラム、撮影計画順印刷処理プログラムを始めとする各種処理プログラム、各処理において処理中のデータ、処理結果などを一時的に記憶するワークエリアを形成する。
【００１７】
外部Ｉ／Ｆ５は、通信用ケーブル等によりデジタルカメラ２０内の外部Ｉ／Ｆ２４と接続され、ＣＰＵ２の制御によりデジタルカメラ２０内の外部Ｉ／Ｆ２４との間でデータ送受信を行い、受信データをＣＰＵ２に出力するといった有線通信機能を有する。
【００１８】
表示部６は、ＬＣＤ（Liquid Crystal Display）やＣＲＴ（Cathode Ray Tube）等により構成され、ＣＰＵ２から入力される表示信号の指示に従って、表示画面上に、各種画面や印刷プレビュー画像等を表示する。
【００１９】
記録部７は、パーソナルコンピュータ１に対応するシステムプログラム、撮影計画順印刷処理プログラム、指定順印刷処理Ａプログラム、指定順印刷処理Ｂプログラムを始めとする各種処理プログラム、各種データ等が予め記憶されており、この記録部７は、磁気的、光学的記録媒体、若しくは半導体メモリなどＣＰＵ２で読み取り可能な記録媒体を含んだ構成である。この記録媒体はＣＤ-ＲＯＭ（Compact Disc Read Only Memory）、メモリカード等の可搬型の媒体やハードディスク等の固定的な媒体を含む。また、この記録媒体に格納するプログラム、データ等は、その一部若しくは全部をサーバやクライアントからＷＡＮ（Wide Area Network）、ＬＡＮ（Local Area Network）などのネットワークを介して通信制御部８から受信する構成にしてもよく、更に、記録媒体はネットワーク上に構築されたサーバやクライアントの記録媒体であってもよい。
【００２０】
また、記録部７は、図４に示すタイトル生成テーブル７１を格納している。このタイトル生成テーブルは、後述する写真タイトル自動生成処理（図１２参照）で使用されるテーブルである。このタイトル生成テーブル７１は、後述する撮影計画データテーブル７４（図８参照）と同様の項目（例えば、工種、種別、細別、・・・）を有し、写真タイトルとして使用する項目に、写真タイトル生成時に当該項目に対応するデータを配置する順番を示す数値データが対応付けて格納されている。図４に示すタイトル生成テーブル７１によれば、「工種」項目に１、「撮影時期」項目に３、「撮影場所」項目に２が格納されているので、写真タイトル自動生成処理においてこのテーブルが参照されることにより「工種＋撮影場所＋撮影時期」という写真のタイトルが生成される。
【００２１】
なお、入力部３からの操作に基づいて、このタイトル生成テーブル７１の内容は、変更することができる。即ち、写真タイトル自動生成処理で生成するタイトルの内容を自由に設定することができる。
【００２２】
その他、記録部７は、印刷順番パターン７２、工事の撮影画像を表示、印刷する際のレイアウト情報７３等を記憶している。
【００２３】
通信制御部８は、アンテナ１１が接続され、デジタルカメラ２０内の通信制御部２８と無線通信可能な無線通信制御機能を有し、ＣＰＵ２の制御により無線通信動作を実行し、生成された撮影計画データテーブル７４等をデジタルカメラ２０に送信し、デジタルカメラ２０から撮影画像及び撮影計画データテーブル７４等を受信する。
【００２４】
印刷部９は、ＣＰＵ２から入力された印刷用画像に応じて変調した光ビームで感光材料を走査露光して潜像を記録し、露光済みの感光材料に湿式の現像処理や乾燥処理を施して出力する。
【００２５】
読み取り手段としてのイメージリーダ１０は、光源、ＣＣＤ（Charge Coupled Device）、Ａ／Ｄ変換器、パターン認識部等を備え、光源から印刷順指定用紙１０１（図１７参照）へ照明走査した光の反射光を結像して光電変換することにより印刷順番指定用紙１０１の画像を読み取り、読み取った画像から印刷順番パターンを認識してＣＰＵ２に出力する。
【００２６】
図５は、デジタルカメラ２０の機能的構成を示すブロック図である。図５において、デジタルカメラ２０は、ＣＰＵ２１、入力部２２、ＲＡＭ２３、外部Ｉ／Ｆ２４、表示部２５、撮像部２６、記録部２７、通信制御部２８により構成されており、各部はバス２９により接続されている。
【００２７】
ＣＰＵ２１は、記録部２７に記憶されているシステムプログラムや各種処理プログラムを読み出し、ＲＡＭ２３内に形成されたワークメモリに展開し、該システムプログラムに従って各部を制御する。また、ＣＰＵ２１は、ＲＡＭ２３に展開したプログラムに従って各種処理を実行し、それらの処理結果をＲＡＭ２３内のワークメモリに記憶すると共に表示部２５に表示させる。そして、ワークメモリに格納した処理結果を記録部２７内の指定の保存先に保存させる。
【００２８】
入力部２２は、電源スイッチ、シャッター、撮影に関する各種設定スイッチ及びカーソルスイッチ等を備え、その各スイッチ操作に応じた操作信号をＣＰＵ２１に出力する。
【００２９】
ＲＡＭ２３は、ＣＰＵ２１により実行されるシステムプログラム、各種処理プログラム、各処理において処理中のデータ、処理結果などを一時的に記憶するワークエリアを形成する。
【００３０】
外部Ｉ／Ｆ２４は、通信用ケーブル等によりパーソナルコンピュータ１内の外部Ｉ／Ｆ５と接続され、ＣＰＵ２１の制御によりパーソナルコンピュータ１内の外部Ｉ／Ｆ５との間でデータ送受信を行い、受信データをＣＰＵ２１に出力するといった有線通信機能を有する。
【００３１】
表示部２５は、ＬＣＤ（Liquid Crystal Display）等により構成され、ＣＰＵ２１から入力される表示信号の指示に従って、表示画面上に、後述する撮影計画画面２５１（図１０参照）や撮影画像等を表示する。
【００３２】
撮像部２６は、撮像用の光学レンズユニットとＣＣＤ（Charge Coupled Device ）等の撮像素子を含む光電変換ユニット等により構成され、入力部２２おけるシャッター押下操作に応じてＣＰＵ２１から入力される撮影指示により、作業工程の撮影対象を撮像し、その撮像画像を光電変換して撮像画像データとしてＣＰＵ２１に出力する。
【００３３】
記録部２７は、プログラム、データ等が予め記憶されており、この記録部２７は、磁気的、光学的記録媒体、若しくは半導体メモリなどＣＰＵ２１で読み取り可能な記録媒体を含んだ構成である。この記録媒体はＣＤ-ＲＯＭ、メモリカード等の可搬型の媒体やハードディスク等の固定的な媒体を含む。また、この記録媒体に格納するプログラムやデータは、その一部若しくは全部をサーバやクライアントからＷＡＮ、ＬＡＮなどのネットワークを介して通信制御部２８から受信する構成にしてもよく、更に、記録媒体はネットワーク上に構築されたサーバやクライアントの記録媒体であってもよい。
【００３４】
通信制御部２８は、アンテナ３１が接続され、パーソナルコンピュータ１内の通信制御部８と無線通信可能な無線通信制御機能を有し、ＣＰＵ２１の制御により無線通信動作を実行し、パーソナルコンピュータ１から撮影計画データテーブル７４を受信したり、パーソナルコンピュータ１に撮影画像及び撮影計画データテーブル７４を送信したりする。即ち、デジタルカメラ２０は、撮影計画データテーブル７４等を送受信するために、有線通信あるいは無線通信の何れにおいても対応可能となっている。
【００３５】
なお、出力装置としての表示部６、印刷部９は、パーソナルコンピュータ１と一体であっても、パーソナルコンピュータ１と別体で、これに接続される構成であってもよい。
【００３６】
次に、本実施形態の動作を説明する。
まず、本実施の形態の撮影システム１００、２００による作業の全体的な流れを、図６を参照して説明する。
まず、パーソナルコンピュータ１において、工事毎に撮影計画データテーブル７４が生成され、記憶部７に記憶される（ステップＳ１）。撮影計画データテーブルの生成は、ＣＰＵ２と記憶部７に記憶されたプログラムの協働によるソフトウエア処理により実行される。具体的には、入力部３からの指示に基づいて、表示部６に、図７に示す撮影計画データ作成画面６１が表示され、この画面から、撮影する順番に、撮影予定情報として業務に関する複数の作業工程に対する作業工程情報（例えば、工種、種別、細別、タイトル、撮影時期、撮影場所、コメント等）が入力され、確定が指示されると、入力された順番及び入力された情報に基づいて撮影計画データテーブル７４が生成され、記憶部７に記憶される。この撮影計画データテーブル７４は、例えば、国土交通省により定められた基準書に基づいて作成されるものである。また、積算データやＣＡＤデータ等、工事計画時に作成されたデータから撮影計画に必要なデータを抽出し、撮影計画データテーブル７４を作成するようにしてもよい。
【００３７】
図８に撮影計画データテーブル７４の一例を示す。図８に示すように、撮影計画データテーブル７４は、撮影する作業工程（以下、撮影工程と称する）毎に、撮影する順番を示す順番情報としての撮影計画番号、これに対応する工種、種別、細別、タイトル、撮影時期、撮影場所、コメント等の作業工程情報（以下、工程情報と称する）を示すデータを格納したデータベースである。この撮影計画データテーブル７４は、工事毎に作成されるものであり、ヘッダには、工事件名、工事番号等が記録されている。
【００３８】
パーソナルコンピュータ１による撮影計画データテーブル７４の作成後、この撮影計画データテーブル７４を、外部Ｉ／Ｆ５又は通信制御部８を介してデジタルカメラ２０に送信する（ステップＳ２）。デジタルカメラ２０においては、受信された撮影計画データテーブル７４を記録部２７に記憶し（ステップＳ３）、図９に示す、撮影計画に従った撮影処理を実行することにより、撮影計画データテーブル７４に基づいて、撮影のナビゲーションを表示部２５に表示して撮影を行い、撮影計画データテーブル７４の各工程情報と撮影画像とを対応付けて記録する（ステップＳ４）。そして、撮影画像及び撮影計画データテーブル７４を外部Ｉ／Ｆ２４又は通信制御部２８を介してパーソナルコンピュータ１に送信する（ステップＳ５）。
【００３９】
撮影画像及び撮影計画データテーブル７４及がデジタルカメラ２０からアップロードされると、パーソナルコンピュータ１は、アップロードされたデータを工事毎に１つのフォルダにまとめて記録部７に記録し、撮影計画順印刷処理（図１１参照）、指定順印刷処理Ａ（図１３参照）、指定順印刷処理Ｂ（図１６参照）の何れかの印刷処理を実行し、撮影画像をユーザの指定する順番に自動的に並び替えて表示、印刷する（ステップＳ６）。撮影計画順印刷処理、指定順印刷処理Ａ、指定順印刷処理Ｂの何れの処理を実行するかは、入力部３を介してユーザが指定することが可能である。
【００４０】
以下、上述した撮影システム１００、２００による作業工程でパーソナルコンピュータ１、デジタルカメラ２０において実行される各処理について詳細に説明する。
【００４１】
まず、図９を参照して、デジタルカメラ２０のＣＰＵ２１により実行される、撮影計画に従った撮影処理について説明する。
まず、ダウンロードされた撮影計画データテーブル７４のヘッダ情報から、各撮影計画データテーブル７４の工事件名が抽出され、表示部２５に工事件名の一覧が表示される（ステップＳ１１）。次いで、入力部２２のカーソルキーにより工事件名が選択されると（ステップＳ１２）、表示部２５に撮影計画画面２５１が表示され、最初の撮影工程（撮影計画番号の最も早い工程）の工程情報の内容が表示される（ステップＳ１３）。図１０に、ステップＳ１３で表示部２５に表示される撮影計画画面２５１の一例を示す。
【００４２】
次いで、シャッターが押下されたか否かが判断され（ステップＳ１４）、シャッターが押下されない場合（ステップＳ１４；ＮＯ）、現在の撮影工程がスキップ可能な工程か否かが確認され（ステップＳ１５）、スキップ可能な工程でなければ（ステップＳ１５；ＮＯ）、処理はステップＳ１４に戻り、スキップ可能な工程であれば（ステップＳ１５；ＹＥＳ）、処理はステップＳ１９に移行する。なお、スキップ可能な工程であるか否かは予め設定されており、この設定に基づいて現在の工程がスキップ可能な工程であるか否かが判断される。
【００４３】
一方、シャッターが押下されると（ステップＳ１４；ＹＥＳ）、撮像部２６により撮影対象が撮影されて撮影画像が入力され（ステップＳ１６）、表示されている工程情報と入力された撮影画像とが対応付けられて記録部２７の記録媒体に記録され（ステップＳ１７）、撮影計画データテーブル７４のコメント欄に「済」情報が付加される（ステップＳ１８）。
【００４４】
全ての撮影工程の撮影が終了しているか否かが確認され、終了していなければ（ステップＳ１９；ＮＯ）、処理はステップＳ２０に移行し、次の工程情報が撮影計画画面２５１に表示され（ステップＳ２０）、ステップＳ１４〜Ｓ１８が繰り返し実行される。全ての撮影工程の撮影が終了している場合は（ステップＳ１９；ＹＥＳ）、本処理は終了する。
【００４５】
次に、パーソナルコンピュータ１のＣＰＵ２により実行される撮影計画順印刷処理について、図１１のフローチャートを参照して説明する。
まず、記録部７から工事記録写真を印刷するためのレイアウト情報７３が取得され（ステップＳ３１）、カウンタＮに０、カウンタＭに撮影計画データテーブル７４の全撮影工程数が格納される（ステップＳ３２）。
【００４６】
次いで、カウンタＮがインクリメントされ（ステップＳ３３）、撮影計画番号Ｎの工程情報に沿って撮影された撮影画像が記録部７から取得され（ステップＳ３４）、写真タイトル自動作成処理（図１２参照）が実行されることにより、当該撮影画像の写真タイトルが生成される（ステップＳ３５）。
【００４７】
ここで、図１２を参照して、ステップＳ３５でＣＰＵ２により実行される写真タイトル自動作成処理について説明する。
撮影計画番号Ｎの工程情報から、タイトル生成テーブル７１で指定された項目のデータが取得され（ステップＳ１０１）、取得されたデータをタイトル生成テーブル７１で指定された順に並べることにより写真タイトルが生成される（ステップＳ１０２）。
【００４８】
図１１において、上述した写真タイトル自動生成処理が終了すると、カウンタＮと全撮影工程数Ｍが比較され（ステップＳ３６）、比較の結果、カウンタＮの値がカウンタＭの値以上ではない場合（ステップＳ３６；ＮＯ）、処理はステップＳ３３に戻り、ステップＳ３３〜Ｓ３５が繰り返し実行される。カウンタＮの値がカウンタＭの値以上である場合は（ステップＳ３６；ＹＥＳ）、レイアウト情報に基づいて、取得された撮影画像及びその写真タイトルが順に用紙イメージ上に配置され、表示部６にプレビュー表示され（ステップＳ３７）、レイアウト情報に基づいて、撮影画像及びその写真タイトルが順に配置され、印刷用画像が作成される（ステップＳ３８）。そして、作成された印刷用画像の画像情報が印刷部９に出力され、印刷される（ステップＳ３９）。
【００４９】
上述した撮影計画順印刷処理においては、工事記録写真の撮影前に作成された撮影計画データテーブル７４を利用して、撮影計画順で表示、印刷するので、撮影計画データテーブル７４を印刷順の指定に有効活用することができ、容易に撮影画像の出力を行うことができる。
【００５０】
次に、パーソナルコンピュータ１のＣＰＵ２により実行される指定順印刷処理Ａについて、図１３を参照して説明する。
【００５１】
まず、表示部６に印刷順番指定画面６２が表示され（ステップＳ４１）、入力部３の操作により印刷順番パターンが選択される（ステップＳ４２）。
【００５２】
図１４に印刷順番指定画面６２の一例を示す。印刷順番指定画面６２は、印刷順番を決定するためのソートキー項目を指定するための画面である。図１４に示すように、印刷順番指定画面６２には、撮影計画データテーブル７４の各項目にソート優先順位を示す数値を割り当てた印刷順番パターンが複数表示されており、各パターンには選択欄が設けられている。この画面の所望のパターンの選択欄をクリックすることにより、撮影画像の印刷順番を指定することができる。なお、ここではパターン１〜３までが予め用意されているが、これに限定されず、また、ユーザがこの画面から新しいパターンを作成し、選択することもできる。
【００５３】
次いで、図１３のステップＳ４３において、撮影画像項目テーブル４１が作成される（ステップＳ４３）。
【００５４】
撮影画像項目テーブル４１には、図１５に示すように、撮影画像のファイル名及びこの画像に対応する撮影計画データテーブル７４の各項目のデータが格納される。撮影画像項目テーブル４１は、対象となる工事で撮影された各撮影画像に対して、まず、撮影画像のファイル名をファイル名フィールドに格納し、続いて、撮影画像に対応付けられている工程情報を撮影計画データテーブル７４から読み出し、各工程情報を対応するフィールドに格納することにより作成される。撮影計画データテーブル７４に含まれる文字列（例えば、工種、種別、細別、撮影箇所）はコード変換して格納される。例えば、工種、種別、細別は、予め工種コード、種別コード、細別コードの変換テーブルが定められており、これに基づいて文字列をコード変換する。撮影場所は、例えば、図面上に示されている場所を示すコードに変換する等、予め決められたルールに基づいてコード変換する。
【００５５】
撮影画像項目テーブル４１が作成されると、ステップＳ４２で選択された印刷順番パターンにより指定されたソート優先順位に従い、撮影画像項目テーブル４１がソートされ、バッファに記憶される（ステップＳ４４）。
【００５６】
次いで、記録部７から工事記録写真を印刷するためのレイアウト情報が取得され（ステップＳ４５）、カウンタＮに０、カウンタＭに当該工事についての全撮影画像数が格納される（ステップＳ４６）。
【００５７】
次いで、カウンタＮがインクリメントされ（ステップＳ４７）、ソートされた撮影画像項目テーブル４１の上からＮ番目のデータに対応する撮影画像が取得され（ステップＳ４８）、上述した写真タイトル自動作成処理（図１２参照）が実行されることにより、当該撮影画像の写真タイトルが生成される（ステップＳ４９）。
【００５８】
写真タイトル自動生成処理が終了すると、カウンタＮと全撮影画像数Ｍが比較され（ステップＳ５０）、比較の結果、カウンタＮの値がカウンタＭの値以上ではない場合（ステップＳ５０；ＮＯ）、処理はステップＳ４７に戻り、ステップＳ４７〜Ｓ４９が繰り返し実行される。カウンタＮの値がカウンタＭの値以上である場合は（ステップＳ５０；ＹＥＳ）、レイアウト情報に基づいて、取得された撮影画像及びその写真タイトルが順に用紙イメージ上に配置され、表示部６にプレビュー表示され（ステップＳ５１）、レイアウト情報に基づいて、撮影画像及びその写真タイトルが順に配置され、印刷用画像が作成される（ステップＳ５２）。そして、作成された印刷用画像の画像情報が印刷部９に出力され、印刷される（ステップＳ５３）。最後に、使用されたバッファがクリアされ（ステップＳ５４）、本処理は終了する。
【００５９】
上述した指定順印刷処理Ａにおいては、工事記録写真の撮影前に作成された撮影計画データテーブル７４の各項目のソート優先順位を指定するだけで、このソート優先順位に従って撮影計画データテーブル７４の内容を並び替えて撮影画像の出力順番とし、この出力順番で撮影画像を表示、印刷するので、撮影画像を容易に所望の順番で出力することができる。
【００６０】
次に、パーソナルコンピュータ１のＣＰＵ２により実行される指定順印刷処理Ｂについて、図１６を参照して説明する。
【００６１】
イメージリーダ１０から印刷順番指定用紙１０１が読み込まれると（ステップＳ６１）、読み込まれたイメージから、選択されている印刷順番パターンが認識される（ステップＳ６２）。
【００６２】
図１７に印刷順番指定用紙１０１の一例を示す。印刷順番指定用紙１０１は、印刷順番を決定するためのソートキー項目を指定するための用紙である。図１７に示すように、印刷順番指定用紙１０１には、撮影計画データテーブル７４の各項目にソート優先順位を示す数値を割り当てた印刷順番パターンが複数用意されており、各パターンに選択欄が設けられている。印刷順番指定用紙１０１の所望のパターンの選択欄がチェックされ、イメージリーダ１０から読み込まれると、イメージリーダ１０により、選択された印刷順番パターンが認識される。この選択された印刷順番パターンが、印刷順番の指定情報となる。なお、ここではパターン１〜３までが予め用意されているが、これに限定されず、また、ユーザがこの用紙に新しいパターンを書き込んで、新たに書き込んだパターンを選択することもできる。
【００６３】
次いで、図１６のステップＳ６３において、撮影画像項目テーブル４１が作成される（ステップＳ６３）。
【００６４】
撮影画像項目テーブル４１については、図１５で説明したのと同様であるので、説明を省略する。
【００６５】
撮影画像項目テーブル４１が作成されると、ステップＳ６２で選択された印刷順番パターンにより指定されたソート優先順位に従い、撮影画像項目テーブル４１がソートされ、バッファに記憶される（ステップＳ６４）。
【００６６】
次いで、記録部７から工事記録写真を印刷するためのレイアウト情報が取得され（ステップＳ６５）、カウンタＮに０、カウンタＭに当該工事についての全撮影画像数が格納される（ステップＳ６６）。
【００６７】
次いで、カウンタＮがインクリメントされ（ステップＳ６７）、ソートされた撮影画像項目テーブル４１の上からＮ番目のデータに対応する撮影画像が取得され（ステップＳ６８）、上述した写真タイトル自動作成処理（図１２参照）が実行されることにより、当該撮影画像の写真タイトルが生成される（ステップＳ６９）。
【００６８】
写真タイトル自動生成処理が終了すると、カウンタＮと全撮影画像数Ｍが比較され（ステップＳ７０）、比較の結果、カウンタＮの値がカウンタＭの値以上ではない場合（ステップＳ７０；ＮＯ）、処理はステップＳ６７に戻り、ステップＳ６７〜Ｓ６９が繰り返し実行される。カウンタＮの値がカウンタＭの値以上である場合は（ステップＳ７０；ＹＥＳ）、レイアウト情報に基づいて、取得された撮影画像及びその写真タイトルが順に用紙イメージ上に配置され、表示部６にプレビュー表示され（ステップＳ７１）、レイアウト情報に基づいて、撮影画像及びその写真タイトルが順に配置され、印刷用画像が作成される（ステップＳ７２）。そして、作成された印刷用画像の画像情報が印刷部９に出力され、印刷される（ステップＳ７３）。最後に、使用されたバッファがクリアされ（ステップＳ７４）、本処理は終了する。
【００６９】
上述した指定順印刷処理Ｂにおいては、工事記録写真の撮影前に作成された撮影計画データテーブル７４の各項目のソート優先順位を指定するだけで、このソート優先順位に従って撮影計画データテーブル７４の内容を並び替えて撮影画像の出力順番とし、この出力順番で撮影画像を表示、印刷するので、撮影画像を容易に所望の順番で出力することができる。また、ソート順位の指定は、印刷順番指定用紙にマークすることにより行うことができるので、パーソナルコンピュータ１に不慣れなユーザであっても、撮影画像を容易に所望の順番で出力することができる。
【００７０】
以上説明したように、撮影システム１００、２００によれば、工事記録写真の撮影前に作成された撮影計画データテーブル７４を利用して、各撮影画像の写真タイトルを自動的に生成、付加して撮影計画順に撮影画像を表示、印刷する。また、工事記録写真の撮影前に作成された撮影計画データテーブル７４の各項目のソート優先順位が指定されると、このソート優先順位に従って撮影計画データテーブル７４の内容を並び替えて、対応する撮影画像の出力順番とし、この出力順番で、各撮影画像の写真タイトルを自動的に生成、付加して撮影画像を表示、印刷する。ソート優先順位の指定は、パーソナルコンピュータ１の画面上からの入力若しくは印刷順番指定用紙１０１をイメージリーダ１０で読み取ることにより行う。
【００７１】
従って、工事記録写真等の一連の作業を撮影した複数の撮影画像を所望の順番で容易に表示、印刷することができる。また、印刷順番指定用紙１０１を用いることにより、パーソナルコンピュータ１の操作に不慣れなユーザであっても、撮影画像を所望の順番で容易に表示、印刷することができる。その結果、工事に係る膨大な撮影画像を、簡単な操作で撮影日毎、撮影場所毎等、様々な観点で容易に並び替えて閲覧することが可能となり、撮影画像の整理作業が大幅に軽減される。更に、写真タイトルを自動的に生成し、撮影画像に付加するので、写真タイトルを考えて付加する必要もなくなり、撮影画像の整理作業が更に軽減される。
【００７２】
なお、上記実施形態における記述内容は好適な一例であり、これに限定されるものではない。  例えば、業務に関する作業工程に対応する画像撮影に限らず、旅行や催し物における撮影予定のタイトルなどの撮影予定情報に対応付けて画像撮影を行うようにしたものでもよく、この場合は撮影画像を所望する順番に編集したアルバムを容易に表示あるいは印刷することができる。
また、上述した撮影システムでは、パーソナルコンピュータ１とデジタルカメラ２０は、個別の構成としたが、例えば、カメラ一体型のコンピュータを利用し、撮影計画データテーブル７４の作成、撮影、編集、出力の全てを行う構成にしても良い。
【００７３】
また、本発明を、カメラ一体型の携帯電話やＰＨＳに適用してもよい。更に、カメラとしてデジタルムービーカメラを利用するようにしても良い。
【００７４】
その他、撮影システム１００、２００の細部構成及び細部動作に関しても、本発明の趣旨を逸脱することのない範囲で適宜変更可能である。
【図面の簡単な説明】
【００７５】
【図１】本発明を適用した一実施の形態における撮影システムの無線通信を利用した場合の構成を示す図である。
【図２】本発明を適用した一実施の形態における撮影システムの有線通信を利用した場合の構成を示す図である。
【図３】本実施の形態の撮影システムに適用されたパーソナルコンピュータ１の機能的構成を示すブロック図である。
【図４】図３の記録部７に記憶されるタイトル生成テーブル７１の一例を示す図である。
【図５】本実施の形態の撮影システムに適用されたデジタルカメラ２０の機能的構成を示すブロック図である。
【図６】図１、２の撮影システム１００、２００における作業の全体的な流れを示す図である。
【図７】図３の表示部６に表示される撮影計画データ作成画面６１の一例を示す図である。
【図８】図１、２のパーソナルコンピュータ１で作成され、記録部７に記憶される撮影計画データテーブル７４の一例を示す図である。
【図９】図５のＣＰＵ２１により実行される撮影計画に従った撮影処理を示すフローチャートである。
【図１０】図５の表示部２５に表示される撮影計画画面２５１の一例を示す図である。
【図１１】図３のＣＰＵ２により実行される撮影計画順印刷処理を示すフローチャートである。
【図１２】図３のＣＰＵ２により実行される写真タイトル自動生成処理を示すフローチャートである。
【図１３】図３のＣＰＵ２により実行される指定順印刷処理Ａを示すフローチャートである。
【図１４】図３の表示部６に表示される印刷順番指定画面６２の一例を示す図である。
【図１５】図１３のステップＳ４３で作成される撮影画像項目テーブル４１の一例を示す図である。
【図１６】図３のＣＰＵ２により実行される指定順印刷処理Ｂを示すフローチャートである。
【図１７】印刷順番指定用紙１０１の一例を示す図である。
【符号の説明】
【００７６】
１  パーソナルコンピュータ
２０  デジタルカメラ
２、２１    ＣＰＵ
３、２２    入力部
４、２３    ＲＡＭ
５、２４    外部Ｉ／Ｆ
６、２５    表示部
９  印刷部
１０  イメージリーダ
２６    撮像部
７、２７    記録部
８、２８    通信制御部
１２、２９    バス
１１、３１    アンテナ
【図１】
2005051665.tif 000003
【図２】
2005051665.tif 000004
【図３】
2005051665.tif 000005
【図４】
2005051665.tif 000006
【図５】
2005051665.tif 000007
【図６】
2005051665.tif 000008
【図７】
2005051665.tif 000009
【図８】
2005051665.tif 000010
【図９】
2005051665.tif 000011
【図１０】
2005051665.tif 000012
【図１１】
2005051665.tif 000013
【図１２】
2005051665.tif 000014
【図１３】
2005051665.tif 000015
【図１４】
2005051665.tif 000016
【図１５】
2005051665.tif 000017
【図１６】
2005051665.tif 000018
【図１７】
2005051665.tif 000019